(57)【要約】  本発明は、今日まで肥料として実質的に使用できなかった硝酸尿素を使用可能にすると共に、格段に優れた肥料効果を発現し得る土耕栽培用液体肥料を提供することを課題とする。本発明は、硝酸尿素を含有する液体肥料であって、肥料中の硝酸尿素含有量が０．００６〜１．２重量％である土耕栽培用液体肥料である。本発明の土耕栽培用液体肥料を、発芽した作物の葉にかからないように地表面及び／又は地中に施用することにより、薬害を与えることなく作物を栽培することができる。【特許請求の範囲】
【請求項１】
硝酸尿素を含有する液体肥料であって、硝酸尿素含有率が０．００６〜１．２重量％である土耕栽培用液体肥料。
【請求項２】
硝酸尿素含有率が０．０１〜１重量％である、請求項１に記載の肥料。
【請求項３】
硝酸尿素含有率が０．０３〜０．８重量％である、請求項２に記載の肥料。
【請求項４】
請求項１〜請求項３のいずれかに記載の土耕栽培用液体肥料を、発芽した作物の葉にかからないように地表面及び／又は地中に施用する、作物の栽培方法。
【発明の詳細な説明】
【技術分野】
【０００１】
本発明は、土耕栽培用液体肥料及び作物の栽培方法に関する。
【背景技術】
【０００２】
硝酸尿素は、窒素肥料としてその使用が検討されてきたが、硝酸尿素は強酸性物質であり、粉状、塊状等の固体状の硝酸尿素を使用した場合に作物との接触部に薬害を生ずるため、未だ実用化に至っていない。【０００３】
特許文献１には、尿素の硝酸塩の水溶液を茎葉処理剤として使用することが示唆されている。しかしながら、硝酸尿素を作物の茎葉に処理すると薬害を生じるため、実際には硝酸尿素は肥料として有効に利用されていない。
【特許文献１】特開平１１−１５８０１０号公報
【発明の開示】
【発明が解決しようとする課題】
【０００４】
本発明の課題は、今日まで肥料として実質的に使用できなかった硝酸尿素を使用可能にすると共に、格段に優れた肥料効果を発現し得る土耕栽培用液体肥料を提供することである。
【課題を解決するための手段】
【０００５】
本発明者等は、今日まで肥料成分として実質的に使用されなかった硝酸尿素を特定の濃度で、発芽した作物の根圏域（地表面及び／又は地中）に施用することで、薬害を生じることなく、更に通常使用される窒素肥料に比し、一段と優れた肥料効果を発現し得ることを見い出した。本発明は、このような知見に基づき完成されたものである。【０００６】
本発明は、下記項１〜項３に係る液体肥料及び項４に係る作物の栽培方法を提供する。
項１．硝酸尿素を含有する液体肥料であって、硝酸尿素含有率が０．００６〜１．２重量％である土耕栽培用液体肥料。
項２．硝酸尿素含有率が０．０１〜１重量％である、項１に記載の肥料。
項３．硝酸尿素含有率が０．０３〜０．８重量％である、項２に記載の肥料。
項４．項１〜項３のいずれかに記載の土耕栽培用液体肥料を、発芽した作物の葉にかからないように地表面及び／又は地中に施用する、作物の栽培方法。【０００７】
本明細書において、作物とは、従来から栽培される農園芸用作物全般を意味し、例えば、野菜、果樹、花卉、観葉植物等を挙げることができる。【０００８】
本発明の土耕栽培用液体肥料は、硝酸尿素を水に溶解させた液体肥料である。【０００９】
硝酸尿素としては、工業的に製造される硝酸尿素を広く使用することができ、粉状、顆粒状、塊状等の形状を問わず使用可能であるが、その後の水への溶解性を考慮すると粉状又は顆粒状の硝酸尿素を使用するのが好ましい。【００１０】
本発明液体肥料中の硝酸尿素含有率は、通常０．００６〜１．２重量％、好ましくは０．０１〜１重量％、より好ましくは０．０３〜０．８重量％である。【００１１】
作物に施用する場合には、上記硝酸尿素濃度の本発明液体肥料が使用される。【００１２】
硝酸尿素を、粉状、顆粒状、塊状等の固体状物として、或いは硝酸尿素を、例えば１〜２０倍程度の水に溶解させた高濃度液状物として流通させてもよく、使用時に上記硝酸尿素含有率となるように水を加えて、溶解又は希釈させて本発明液体肥料を調製してもよい。【００１３】
本発明の土耕栽培用液体肥料には他の肥料成分を適宜混合することができ、これらの混合物を複合肥料として使用することもできる。【００１４】
ここで、他の肥料成分としては、通常肥料成分として使用されるものである限り特に制限はない。また、その配合割合は、目的とする作物、生育状態等に応じて広い範囲内から適宜選択できる。【００１５】
他の成分として配合される肥料が、リン酸カルシウム等の難水溶性のものであっても、硝酸尿素と組み合わせることで容易に水に溶解させることができるようになり、液体肥料として使用可能になる。【００１６】
本発明の土耕栽培用液体肥料を使用するに当たっては、発芽した作物の葉にかからないように地表面及び／又は地中（土中）に施用する。【００１７】
具体的には、本発明の土耕栽培用液体肥料を、作物の株元へ施用するのが好ましい。発芽した作物の葉に本発明液体肥料がかかった場合、従来より問題となっている薬害を生じる虞れが強くなるので、好ましくない。【００１８】
施用方法としては、発芽した作物の葉に本発明の液体肥料がかからないような方法である限り公知の方法を広く適用でき、例えば、潅水処理方法、土壌潅注方法、点滴チューブ又は潅水チューブを使用する方法等が挙げられる。【００１９】
本発明の液体肥料は作物の株元に施用するが、作物の根圏域に施用するのが好ましく、点滴チューブ又は潅水チューブを用いて作物の根圏域に潅水するのが特に好ましい。【００２０】
作物の発芽前への処理は、発芽が抑制（阻害）されたり、発芽した場合でも芽に硝酸尿素成分が接触することになり、芽に損傷を与えて生育遅延や枯死させてしまうという欠点が生ずるので、不適当である。【００２１】
本発明の液体肥料は、土耕栽培への適用に優れている。土耕栽培法は、簡単には培地に土壌を使用する栽培方法であり、支持体に土壌を使用する養液土耕栽培法を包含する。土耕栽培法への適用が好ましい理由としては、土を介して作物に供給されるため、硝酸尿素の酸性に対して土の緩衝作用が働くためと考えられる。
【発明の効果】
【００２２】
本発明によれば、今日まで肥料として実質的に使用できなかった硝酸尿素を使用可能にすると共に、格段に優れた肥料効果を発現することができる。
【発明を実施するための最良の形態】
【００２３】
以下に、実施例及び試験例を挙げて、本発明をより具体的に説明するが、本発明はこれらに限定されるものではない。【００２４】
実施例１
硝酸尿素を水に溶解し、全窒素濃度１４０ｐｐｍ、２８０ｐｐｍ及び４２０ｐｐｍの各水溶液を調製した。比較として尿素を水に溶解し、全窒素量１４０ｐｐｍの水溶液を調製した。【００２５】
コマツナ「夏楽天」（タキイ種苗株式会社）用いて栽培試験を行った。試験期間は１１月初旬〜１２月初旬の２４日間とした。ノイバウエルポット（内径１１．３ｃｍ、高さ６．５ｃｍ）に培土（くみあい愛菜１号、片倉チッカリン株式会社製）５００ｍｌを充填し、ポットの土壌水分量を５０〜６０％となるように、上記調製した各硝酸尿素水溶液又は尿素水溶液を加えた。各ポットにコマツナ種子２０粒を播種し、発芽までの期間を必要に応じて、如雨露で地表面に散水潅水した。発芽し、子葉展開後は各硝酸尿素水溶液及び尿素水溶液（２０〜５０ｍｌ／日）を葉にかからないように株元を中心に地表面に如雨露で施用した。【００２６】
播種６日後及び１２日後に発芽数を数え、発芽率（播種数に対する発芽数の割合）を求めた。また、播種２０日後に葉長を測定し、播種２４日後に葉長及び５株当たりの生体重を測定した。なお、試験は３連制で行ない、各試験結果の平均値を求めて表１に示した。【００２７】
【表１】
2007119583.tif 000002
【００２８】
以上の結果から、硝酸尿素水溶液を株元に施用することにより、薬害を生じることなく、全窒素量が同じ尿素に比し、１．２倍以上の肥料効果を発現し得ることがわかる。【００２９】
比較試験
硝酸尿素を水に溶解し、全窒素濃度１４０ｐｐｍ、２８０ｐｐｍ及び５６０ｐｐｍの各水溶液を調製した。【００３０】
コマツナ「夏楽天」（タキイ種苗株式会社）用いて栽培試験を行った。試験期間は１０月下旬〜１１月初旬の１４日間とした。ノイバウエルポットに培土（くみあい愛菜１号、片倉チッカリン株式会社製）５００ｍｌを充填し、ポットの土壌水分量を５０〜６０％となるように水を加えた。各ポットにコマツナ種子２０粒を播種し、上記調製した硝酸尿素水溶液を潅水した。発芽後は、硝酸尿素水溶液を上方より葉面にかかるように如雨露を使って施用した。【００３１】
播種５日後に発芽数を数え、発芽率を求めた。また、播種１４日後に薬害の状況を目視観察した。なお、試験は３連制で行ない、発芽率は平均値を求めて表２に示した。【００３２】
【表２】
2007119583.tif 000003
【国際調査報告】
2007119583.tif 000004
2007119583.tif 000005
2007119583.tif 000006
2007119583.tif 000007